(57)【要約】【課題】  構造の煩雑化を招くこと無く大きな吹出口の形成が可能な拡散器を提供する。【解決手段】  芳香器１の下部構成部材１２を、容器部２１と隔成部２２とファン２３とリングフィン２４と薬剤載置部２５とで構成し、容器部２１と隔成部２２とを予め接合して容器体２６を形成する。薬剤載置部２５の各脚部１０１の小径部１０３をリングフィン２４の貫通穴７２へ挿通し容器体２６の隔成部２２の円筒部４２に挿入した状態で、容器部２１の電池収容部３３側から容器部２１に設けられた支柱３４の連通穴３５にタッピンネジ１０７を挿入し、タッピンネジ１０７を脚部１０１の先端面１０５の小孔１０６に螺入して薬剤載置部２５とリングフィン２４とを前記容器体２６に固定する。【選択図】        図２
2006158470.tif 000002
【特許請求の範囲】
【請求項１】
側面に吹出口が設けられた拡散器において、
前記吹出口を境として上部を形成する上部部材と下部を形成する下部部材とを別部材で構成し、該下部部材と前記上部部材とを柱で連結して両部材間に前記吹出口を形成する間隙を確保する一方、
前記上部部材に前記柱を一体形成し、該柱の先端面を前記下部部材に当接した状態で該下部部材の下面側からねじ込まれたネジを前記先端面に螺入して前記上部部材を前記下部部材に固定したことを特徴とする拡散器。
【請求項２】
前記柱に基端側を構成する大径部と該大径部より小径の先端側を構成する小径部とを設定し、該小径部が挿入される筒部を前記下部部材に突設する一方、
前記上部部材と前記下部部材との間に配置されるフィンを前記吹出口に設定するとともに、前記柱の前記小径部を前記フィンに設けられた貫通穴に挿通して前記下部部材に固定した状態で、前記柱の前記大径部と前記筒部との間に前記フィンを挟持して固定したことを特徴とする請求項１記載の拡散器。
【発明の詳細な説明】
【技術分野】
【０００１】
本発明は、例えば芳香成分を拡散する拡散器に関する。
【背景技術】
【０００２】
従来、芳香成分を揮散する拡散器としては、芳香器が知られている（例えば、特許文献１）。
【０００３】
この芳香器には、香料を収容した香料収納カセットがセットされており、空気取り入れ口から取り入れた空気に芳香成分を混合して、側面に設けられた吹出口から放出するように構成されている。
【特許文献１】特開２０００−１８９５０８号公報
【発明の開示】
【発明が解決しようとする課題】
【０００４】
しかしながら、このような拡散器にあっては、ケース側面に開口部を開設して吹出口を形成する構造上、吹出口を大きくするには限度があった。
【０００５】
すなわち、吹出口を周方向に長く延設した際には、ケースの強度低下を招いてしまう。このため、構造の煩雑化が避けられず、組み立てが複雑化するという新たな問題が生じてしまう。
【０００６】
本発明は、このような従来の課題に鑑みてなされたものであり、構造の煩雑化を招くこと無く、大きな吹出口の形成が可能な拡散器を提供することを目的とするものである。
【課題を解決するための手段】
【０００７】
前記課題を解決するために本発明の請求項１の拡散器にあっては、側面に吹出口が設けられた拡散器において、前記吹出口を境として上部を形成する上部部材と下部を形成する下部部材とを別部材で構成し、該下部部材と前記上部部材とを柱で連結して両部材間に前記吹出口を形成する間隙を確保する一方、前記上部部材に前記柱を一体形成し、該柱の先端面を前記下部部材に当接した状態で該下部部材の下面側からねじ込まれたネジを前記先端面に螺入して前記上部部材を前記下部部材に固定した。
【０００８】
すなわち、側面に設けられた吹出口は、柱で連結された上部部材と下部部材との間に形成されており、側面に開口部を形成して吹出口を形成する場合と比較して、大きな吹出口の形成が可能となる。
【０００９】
このとき、前記柱は、前記上部部材に一体形成されており、この柱の先端面を前記下部部材に当接した状態で、該下部部材の下面側からねじ込まれたネジを前記先端面に螺入することによって、前記上部部材と前記下部部材とが固定される。
【００１０】
このため、部品点数の増大を招くことなく、前記噴出口の大型化が図られる。
【００１１】
また、請求項２の拡散器においては、前記柱に基端側を構成する大径部と該大径部より小径の先端側を構成する小径部とを設定し、該小径部が挿入される筒部を前記下部部材に突設する一方、前記上部部材と前記下部部材との間に配置されるフィンを前記吹出口に設定するとともに、前記柱の前記小径部を前記フィンに設けられた貫通穴に挿通して前記下部部材に固定した状態で、前記柱の前記大径部と前記筒部との間に前記フィンを挟持して固定した。
【００１２】
すなわち、組み立て時には、上部部材の柱に設けられた小径部をフィンの貫通穴に挿通するとともに、この小径部を、下部部材に突設された筒部に挿入する。そして、前記下部部材の下面側からネジをねじ込むとともに、このネジを前記下部部材に当接した前記柱の先端面に螺入する。すると、前記上部部材は、前記柱を介して前記下部部材に固定され、両部材間に吹出口が形成されるとともに、前記上部部材と前記下部部材間には、前記フィンが配設される。
【００１３】
このとき、前記小径部の基端側には、大径部が形成されており、前記小径部が挿通する前記フィンは、この大径部と前記筒部とに挟持された状態で固定される。この状態において、前記フィンは、前記大径部が当接することよって前記上部部材からの離間状態が維持される一方、前記筒部に当接することによって前記下部部材からの離間状態が維持される。
【発明の効果】
【００１４】
以上説明したように本発明の請求項１の拡散器にあっては、柱で連結された上部部材と下部部材との間に吹出口を形成したため、側面に開口部を形成して吹出口を形成した場合と比較して、大きな吹出口を形成することができる。
【００１５】
そして、前記吹出口は、前記柱が一体形成された前記上部部材と前記下部部材との二部材によって形成されており、前記柱の先端面を前記下部部材に当接した状態で、該下部部材の下面側からねじ込まれたネジを前記先端面に螺入するだけで、前記上部部材と前記下部部材とを固定して前記吹出口を形成することができる。
【００１６】
このように、部品点数の増大や構造の煩雑化を招くこと無く、前記噴出口の大型化を図ることができる。したがって、組み立ても容易となる。
【００１７】
また、請求項２の拡散器においては、上部部材の柱に設けられた小径部を、フィンの貫通穴に挿通した後、下部部材の筒部に挿入した状態で、前記下部部材の下面側からねじ込まれたネジを前記下部部材に当接した前記柱の先端面に螺入するだけで、前記上部部材を前記下部部材に固定するとともに、両部材間にフィンを配設することができる。
【００１８】
このとき、前記小径部の基端側には、大径部が形成されており、前記小径部が挿通する前記フィンを、この大径部と前記筒部とに挟持した状態で固定することができる。この状態において、前記フィンは、前記大径部が当接することよって前記上部部材からの離間状態が維持されるとともに、前記筒部に当接することによって前記下部部材からの離間状態が維持される。これにより、前記フィンの上部及び下部には、吹き出し空間を確保することができる。
【発明を実施するための最良の形態】
【００１９】
以下、本発明の一の実施の形態を図に従って説明する。図１は、本実施の形態にかかる拡散器としての芳香器１を示す図であり、該芳香器１は、トイレや居住空間で使用されるものである。
【００２０】
この芳香器１の芳香器本体１１は、図２にも示すように、下部を構成する下部構成部１２と、該下部構成部１２の上部に着脱自在に取り付けられるカバー１３とによって構成されている。該カバー１３内には、薬剤容器１４が交換可能に設けられており、該薬剤容器１４に収容された液状薬剤を揮散できるように構成されている。
【００２１】
前記下部構成部材１２は、図３に示すように、底部を構成する容器部２１と、該容器部２１の上部開口部を閉鎖して上下を隔てる隔成部２２と、該隔成部２２上に配置される送出手段としてのファン２３と、前記隔成部２２の上部に間隔を置いて配置されるリング状のリングフィン２４と、該リングフィン２４の上部に間隔を置いて配置される薬剤載置部２５とによって構成されている。この下部構成部材１２においては、前記容器部２１と隔成部２２とが予め接合されることによって本発明の下部部材である容器体２６が構成されており、前記薬剤載置部２５が本発明の上部部材を構成している。
【００２２】
前記容器部２１は、図４に示すように、楕円形の底面３１と、該底面３１の周縁に起立した周壁３２とによって容器状に形成されている。前記底面３１には、上方に膨出した裏面開口状の電池収容部３３が形成されており、当該電池収容部３３に底面側から電池を交換可能に収容できるように構成されている。前記電池収容部３３には、支柱３４，・・・が四カ所に立設されており、各支柱３４，・・・の端部には、前記電池収容部３３の内側面に凹設された凹部３４ａ，・・・に連通する連通穴３５，・・・が設けられている（図８参照）。また、前記周壁３２には、発光ダイオードが挿入されるライト穴３６が設けられており、その逆側には、スイッチ３７ａが挿入されるスイッチ穴３７が設けられている。
【００２３】
この容器部２１上に配置される前記隔成部２２の周囲部には、図５に示すように、内側から外縁へ向かうに従って上方に傾斜した下部傾斜面４１が形成されており、その内側には、円筒部４２が四カ所に設けられている。各円筒部４２，・・・の中央部には、円形穴４３，・・・が開設されており、各円形穴４３，・・・は、前記容器部２１に設けられた前記支柱３４，・・・の連通穴３５，・・・と合致する位置に設けられている。
【００２４】
この隔成部２２の裏面には、プリント基板５１が固定されており、該プリント基板５１に構成された電子回路は、前記電池収容部３３内の電池から電源供給を受けて作動するように構成されている。前記プリント基板５１には、前記電子回路によって回動制御されるモータ５２が設けられており、該モータ５２は、前記隔成部２２の中央に膨出形成されたモータ取付部５３内に収容された状態で固定されている。このモータ５２の回転軸５４は、前記隔成部２２を挿通して上方に突出しており、この回転軸５４には、前記ファン２３が固定されている。
【００２５】
該ファン２３は、図３に示したように、前記回転軸５４に取り付けられるボス部６１と、該ボス部６１より側方に延出する延出片６２，・・・と、各延出片６２，・・・に支持され前記モータ取付部５３を包囲するように配置される円筒部６３とによって構成されている。該円筒部６３には、複数のスリット６４，・・・が設けられており、各スリット６４，・・・の縁部からは、内側へ向けて斜めに延出する整流フィン６５，・・・が設けられている。これにより、当該ファン２３が回動された際には、前記各延出片６２，・・・間の開口部分６６，・・・から導入した空気を、前記各スリット６４，・・・から外周部へ排出できるように構成されている。
【００２６】
前記隔成部２２上に配置される前記リングフィン２４は、図６に示すように、楕円リング状に形成されており、その内側には、平坦な平坦部７１が設けられている。この平坦部７１は、前記隔成部２２の前記円筒部４２，・・・に支持されるように構成されており、当該リングフィン２４と前記隔成部２２との間には、前記円筒部４２，・・・の高さ分の間隙が確保されている。前記円筒部４２による支持位置の中央には、上下に貫通する貫通穴７２，・・・が設けられており、当該平坦部７１の外周部には、内側から外周縁へ向かうに従って上方に傾斜した中傾斜面７３が形成されている。
【００２７】
このリングフィン２４上に配置される前記薬剤載置部２５の中央部には、図７に示すように、四カ所の支持部８１，・・・で支持された円形の棚部８２が設けられており、前記各支持部８１，・・・間には、上下を連通する通流部８３，・・・が設けられている。前記棚部８２の縁部には、上方に延出する長方形板状の側面当接リブ８４，８４が対向して設けられており、各側面当接リブ８４，８４の裏面には、補強条８５，８５が一体形成されている。これら各側面当接リブ８４，８４によって前記棚部８２に載置された前記薬剤容器１４を位置決めできるように構成されている。
【００２８】
前記棚部８２の外周部には、内側から外周縁へ向かうに従って上方に傾斜した上部傾斜面９１が形成されており、該上部傾斜面９１の上面には、上方に延出する係止片９２，９２が相対向する部位に立設されている。各係止片９２，９２の上端には、前記カバー１３の内側面と係合する係合爪９３，９３が突設されており、該係合爪９３，９３の下部には、押圧操作用の凸部９４，９４が形成されている。
【００２９】
また、前記薬剤載置部２５の下面には、下方へ向けて延出する柱としての脚部１０１，・・・が前記上部傾斜面９１の内側の４カ所に設けられている。各脚部１０１，・・・には、基端側を構成する大径部１０２と、該大径部１０２より小径の先端側を構成する小径部１０３とが形成されており、中途部には段部１０４が形成されている（一カ所のみ図示）。前記小径部１０３の外形寸法は、前記リングフィン２４の貫通穴７２を貫通するとともに、前記隔成部２２の前記円筒部４２の円形穴４３を挿入可能な寸法に設定されている。
【００３０】
前記各脚部１０１，・・・の先端面１０５には、小孔１０６が設けられており（図９参照）、前記小径部１０３を前記隔成部２２の前記円筒部４２に挿入した状態で、前記先端面１０５の小孔１０６が前記隔成部２２の円筒部４２の円形穴４３を挿通して前記容器部２１の支柱３４に当接した状態で、前記脚部１０１の小孔１０６が前記支柱３４の連通穴３５と合致するように構成されている。
【００３１】
これにより、芳香器本体１１組み立て時には、前記薬剤載置部２５の前記各脚部１０１，・・・の小径部１０３を前記リングフィン２４の前記貫通穴７２，・・・へ挿通した際に、前記段部１０３が前記リングフィン２４の上面に当接することによって、当該リングフィン２４と前記薬剤載置部２５との間に所定の間隙を確保できるように構成されている。そして、前記リングフィン２４の前記貫通穴７２，・・・を挿通した各脚部１０１，・・・を、予め前記容器部２１に固定された前記隔成部２２の円筒部４２，・・・に挿入した状態で、図８に示すように、前記容器部２１の前記電池収容部３３側の凹部３４ａから当該容器部２１に設けられた前記支柱３４，・・・の連通穴３５，・・・にタッピンネジ１０７，・・・を挿入するとともに、該タッピンネジ１０７を、図９に示すように、前記脚部１０１，１０１の先端面１０５に形成された小孔１０６に螺入することによって、前記薬剤載置部２５と前記リングフィン２４とを前記隔成部２２が設けられた前記容器部２１に固定できるように構成されている。
【００３２】
このとき、前記リングフィン２４の下面には、前記隔成部２２の円筒部４２，・・・が当接することによって、当該リングフィン２４と前記隔成部２２との間に所定の間隙を確保できるように構成されており、前記リングフィン２４は、前記脚部１０１の大径部１０２と前記隔成部２２の円筒部４２，・・・との間に挟持された状態で固定されるように構成されている。
【００３３】
前記カバー１３は、図２に示したように、不透明（白色）の樹脂によって形成されており、当該カバー１３は、横断面が楕円形状であって上方へ向かうに従って縮径する山形状に形成されている。このカバー１３の上端部には、水平方向に延在するスリット状の吸気口１１１，・・・が四カ所に設けられており、下部には、内部に連通する楕円形の覗き穴１１２，１１２が当該カバー１３側面の相対向する箇所に開設されている（図示省略）。
【００３４】
前記薬剤載置部２５の前記係止片９２に対応する部位には、前記凸部９４を露出させる為の切欠部１１３が設けられており、前記凸部９４の押圧操作を可能としている。この切欠部１１３，１１３上部の内側面には、前記薬剤載置部２５に設けられた前記係止片９２，９２の係合爪９３，９３と係合する係合溝が形成されており（図示省略）、前記係合片９２，９２の前記係合爪９３，９３と前記カバー１３の係合溝とが係合することによって、当該カバー１３を前記下部構成部１２に取り付けた状態で固定できるように構成されている。
【００３５】
また、前記薬剤容器１４は、図１０に示すように、無色透明のガラス瓶によって形成されており、矩形容器状の容器本体１２１と、円筒状の口部１２２とによって一体形成されている。該口部１２２には、図外のキャップを螺着する為の雄ねじ１２３が形成されており、キャップ装着時に口部１２２の開口部を閉鎖できるように構成されている。
【００３６】
前記容器本体１２１の底面１２４は、長方形状に形成されており、対向する短辺からは第１側壁面１２５及び第２側壁面１２６が起立している。また、前記底面１２４の対向する長辺からは、第３側壁面１２７及び第４側壁面１２８が起立しており、前記第１及び第２側壁面１２５，１２６は、図１１にも示すように、前記カバー１３の内側面に沿って延在する湾曲面で構成されている。
【００３７】
前記第３及び第４側壁面１２７，１２８には、図１０に示したように、上下に延在する縦長の溝部１２９，１２９が形成されており、取付時において、図２及び図１１に示したように、前記薬剤載置部２５に設けられた前記側面当接リブ８４，８４が前記各溝部１２９，１２９内に挿入された状態で、当該薬剤容器１４が位置決めされるように構成されている。
【００３８】
この位置決め状態では、前記薬剤容器１２１の前記第１側壁面１２５が前記カバー１３に設けられた一方の覗き穴１１２に沿って近接して配置されるとともに、前記第２側壁面１２６が他方の覗き穴１１２に沿って近接して配置されるように構成されている（図示省略）。
【００３９】
前記薬剤容器１２１の前記口部１２２には、芯材が収容されており（図示省略）、該芯材が容器本体１２１内の液状薬剤を吸い上げることによって、芯材の露出部より前記液状薬剤を揮散できるように構成されている。
【００４０】
これにより、図１２に示すように、前記下部構成部材１２に前記薬剤容器１４をセットするとともに前記カバー１３を取り付けて芳香器本体１１形成した状態で、該芳香器本体１１のカバー１３内には、前記薬剤容器１２１から揮散した気化薬剤が貯留される貯留部としての貯留空間１３１が形成されており、スイッチ操作に従って前記モータ５２を作動して前記ファン２３を回動することにより、前記カバー１３上端部の吸気口１１１，・・・から前記貯留空間１３１内に空気を導入するとともに、該貯留空間１３１に貯留した気化薬剤を、前記薬剤載置部２５の上部傾斜面９１下面が構成する上壁面１３２と前記隔成部２２の前記下部傾斜面４１上面が構成する下壁面１３３との間に形成された吹出口１３４から外部へ放出できるように構成されている。
【００４１】
すなわち、前記芳香器本体１１の側面には、前記吹出口１３４が全周に渡って開口しているとともに、該吹出口１３４を境として上部を形成する上部部材である薬剤載置部２５と、下部を形成する下部部材としての前記容器体２６とが別部材で構成され、前記薬剤載置部２５と前記容器体２６とが、前記薬剤載置部２５に一体形成された前記脚部１０１，・・・で連結されることにより、前記薬剤載置部２５と前記隔成部２２間に前記吹出口１３４を形成する間隙が確保されている。また、この吹出口１３４には、前記薬剤載置部２５と前記容器体２６との間に配置された前記リングフィン２４が設定されている。
【００４２】
以上の構成にかかる本実施の形態において、芳香器１の側面に設けられた吹出口１３４は、脚部１０１，・・・によって連結された前記薬剤載置部２５と容器体２６との間に形成されており、側面に開口部を形成して吹出口を形成する場合と比較して、芳香器１側面の全周に渡って延在する大きな吹出口１３４の形成が可能となる。
【００４３】
このとき、前記脚部１０１は、前記薬剤載置部２５に一体形成されており、この脚部１０１を、前記容器体２６の前記隔成部２２の円筒部４２，・・・に挿入し、前記脚部１０１の先端面１０５を前記容器部２１の支柱３４に当接する。この状態で、前記容器部２１の前記電池収容部３３側の凹部３４ａから当該容器部２１に設けられた前記支柱３４，・・・の連通穴３５，・・・にタッピンネジ１０７，・・・を挿入するとともに、該タッピンネジ１０７を前記脚部１０１，１０１の先端面１０５に形成された小孔１０６に螺入する。これにより、前記薬剤載置部２５を、前記隔成部２２と前記容器部２１とからなる容器体２６に固定することができる。
【００４４】
そして、前記吹出口１３４は、前記脚部１０１が一体形成された前記薬剤載置部２５と前記容器体２６との二部材で形成されており、前記脚部１０１の先端面１０５を前記容器部２１の前記支柱３４に当接した状態で、該容器部２１の下面側からねじ込まれたタッピンネジ１０７を前記先端面１０５に螺入するだけで、前記薬剤載置部２５と前記容器体２６とを固定して前記吹出口１３４を形成することができる。
【００４５】
このように、部品点数の増大や構造の煩雑化を招くこと無く、前記噴出口１３４の大型化を図ることができる。したがって、組み立ても容易となる。
【００４６】
また、組み立て時において、前記薬剤載置部２５に一体形成された前記脚部１０１，・・・の小径部１０３，・・・にリングフィン２４の貫通穴７２，・・・を挿通しておいて、前記薬剤載置部２５を前記容器体２６に固定するだけで、前記薬剤載置部２５と前記容器体２６との間に形成された前記吹出口１３４に前記リングフィン２４が配設することができる。
【００４７】
このとき、前記脚部１０１の小径部１０３の基端側には、大径部１０２が形成されており、前記小径部１０３が挿通する前記リングフィン２４を、この大径部１０２と前記容器体２６の隔成部２２に突設された円筒部４２とで挟持して固定することができる。この状態において、前記リングフィン２４は、前記大径部１０２が当接することよって前記薬剤載置部２５からの離間状態が維持されるとともに、前記円筒部４２に当接することによって前記隔成部２２からの離間状態が維持される。
【００４８】
これにより、前記リングフィン２４の上部及び下部に、吹き出し空間を確保することができ、当該リングフィン２４による整流効果を得ることができる。
【００４９】
各実施の形態において吸気口１１１付近にフィルタを設け、洗浄した空気に薬効を付与させて周囲に排出させるようにすることもできる。
【図面の簡単な説明】
【００５０】
【図１】本発明の一実施の形態を示す図である。
【図２】同実施の形態のカバーを外した状態を示す斜視図である。
【図３】同実施の形態の下部構成部材を示す分解斜視図である。
【図４】同実施の形態の容器部を示す拡大図である。
【図５】同実施の形態の隔成部を示す拡大図である。
【図６】同実施の形態のリングフィンを示す拡大図である。
【図７】同実施の形態の薬剤載置部を示す拡大図である。
【図８】同実施の形態の下部構成部材を底面側から見た状態を示す斜視図である。
【図９】図８の下部構成部材から容器部を取り外した状態を示す斜視図である。
【図１０】同実施の形態の薬剤容器を示す拡大図である。
【図１１】同実施の形態の薬剤載置部に薬剤容器を載置した状態を示す平面図である。
【図１２】同実施の形態の内部の様子を示す説明図である。
【符号の説明】
【００５１】
１    芳香器
２２    隔成部
２４    リングフィン
２５    薬剤載置部
２６    容器体
４２    円筒部
７２    貫通穴
１０１    脚部
１０２    大径部
１０３    小径部
１０５    先端面
１０７    タッピンネジ
１３４    吹出口
【図１】
2006158470.tif 000003
【図２】
2006158470.tif 000004
【図３】
2006158470.tif 000005
【図４】
2006158470.tif 000006
【図５】
2006158470.tif 000007
【図６】
2006158470.tif 000008
【図７】
2006158470.tif 000009
【図８】
2006158470.tif 000010
【図９】
2006158470.tif 000011
【図１０】
2006158470.tif 000012
【図１１】
2006158470.tif 000013
【図１２】
2006158470.tif 000014